(57)【特許請求の範囲】
【請求項１】
金属製の室外部材および木製の室内部材を備えた下框と、この下框に接合される金属製の竪框とを含んで構成される障子を備えた引違い窓であって、
前記下框と竪框との接合部分には、当該竪框を伝い落ちる結露水用の受部材が、当該下框の室内部材と竪框との間に予め挟持された状態で配置され、
前記受部材は、前記室内部材の上端面を覆う上面部と、この上面部の室内側に連続して形成されて当該室内部材の室内側面を覆う立面部とを備え、これらの上面部および立面部には、結露水の流れ方向を規定して室内部材が濡れるのを防止する堤部が設けられている
ことを特徴とする引違い窓。
【発明の詳細な説明】
【０００１】
【発明の属する技術分野】
本発明は、引違い窓に係り、金属製の室外部材および木製の室内部材を備えた下框と、この下框に接合される金属製の外召合せ框とを含んで構成される障子を備えた引違い窓に関する。
【０００２】
【背景技術】
近年の建物においては、快適な生活空間を形成し、かつ冷暖房に使用するエネルギーを減少させて省エネルギー化を図るために、外壁や建具等における断熱性能が重視されている。特に、新断熱基準や次世代省エネルギー基準等が策定されていることもあり、従来であれば、断熱サッシや断熱ドアを利用していなかった地域においても、断熱サッシ等を採用する建物が増えてきている。
このような断熱サッシの一つに、天然木の質感と、アルミ等の金属の持つ耐久、耐候性を兼ね備えたサッシとして、枠や障子の室外側をアルミ形材（金属形材）で構成し、室内側を天然木や集成材等の木材で構成したアルミ木複合サッシがある。この複合サッシは、室内側からは木材の持つ質感や美観、触感等を楽しめる一方で、室外側がアルミ製のためにメンテナンス性、耐久性を向上できるという特色を有する。また、室外側が木製であると、木材の有する断熱性により、その表面には外気で冷却されたアルミ形材からの熱が伝わり難く、結露対策にも有効である。
【０００３】
【発明が解決しようとする課題】
ところで、前述のようなアルミ木複合サッシの中でも引違い窓では、内外の障子が閉め切られた状態において、外障子の外召合せ框は内障子の内召合せ框に隠れ、室内側には露出しない。従って、外召合せ框に関しては、自身が見えないことで見栄えを考慮する必要がないため、他の框と異なって室内側を木製とする必要がなく、全体をアルミ形材で構成している。また、全体がアルミ形材であることにより、表面に結露を生じる可能性はあるが、このような結露による結露水も隠れて見えることはない。
しかし、表面の結露水が外召合せ框を伝って落ちると、下框の木製の部分に到達する場合がある。このような場合には、結露水の接触によって木製部分が濡れてしまうため、腐食し易くなって老朽化が促進され、耐久性に支障を来す可能性がある。
【０００４】
なお、実公平７−８７８０号公報には、窓枠の縦枠から伝い落ちる結露水を下枠に接触させないために、縦枠および下枠の接合部分に結露受け材なる部材を後付けする技術が開示されている。このような結露受け材を外障子の外召合せ框および下框の接合部分に適用すれば、下框の木製部分に結露水が接触するのをある程度は抑制可能である。
しかしながら、この公報記載の結露受け材は、後付けによって縦枠に掛止させるタイプであるため、縦枠および下枠を接合した後わざわざ結露受け材を取り付けなければならず、取付作業が煩わしい。また、結露受け材を掛止させるには、縦枠側に掛止溝を穿設しておく必要があるうえ、掛止させて取り付けた後には、結露受部材と縦枠との間をシールする必要があり、溝加工や止水作業に手間がかかるという問題もある。これらの問題は、結露受け材を障子に適用した場合でも、同様に発生すると考えられる。
【０００５】
本発明の目的は、結露水の木製部分への接触を防いで耐久性を向上させることができ、かつ繁雑な作業を不要にできる引違い窓を提供することにある。
【０００６】
【課題を解決するための手段】
本発明の引違い窓は、金属製の室外部材および木製の室内部材を備えた下框と、この下框に接合される金属製の竪框とを含んで構成される障子を備えた引違い窓であって、前記下框と竪框との接合部分には、当該竪框を伝い落ちる結露水用の受部材が、当該下框の室内部材と竪框との間に予め挟持された状態で配置され、前記受部材は、前記室内部材の上端面を覆う上面部と、この上面部の室内側に連続して形成されて当該室内部材の室内側面を覆う立面部とを備え、これら上面部および立面部には、結露水の流れ方向を規定して室内部材が濡れるのを防止する堤部が設けられていることを特徴とする。
【０００７】
このような構成によれば、金属製の竪框を伝い落ちる結露水は受部材で受けられるので、結露水が下框の木製の室内部材に接触せず、室内部材の老朽化が抑制されて耐久性が向上する。
また、受部材は下框の室内部材と竪框との接合部分に挟持されるから、従来のような掛止溝を別途設ける必要がないうえ、受部材と竪框との間には何ら隙間が生じず、シールを行う必要性もない。さらには、下框と竪框との接合時に受部材を同時に取り付けることで、その接合作業の後に受部材を後付けするといった煩わしさも解消される。
さらに、上面部および立面部で受けられた結露水の流れ方向が堤部によって規定されるので、室内部材を濡らさない方向に結露水が確実に排水されるようになる。
【０００８】
【発明の実施の形態】
以下に、本発明の実施形態を図面に基づいて説明する。なお、各図面においては図面を見やすくするために、窓枠や障子等の主要な構成部材には断面を示すハッチングを省略して記載している。
図１，２には、本発明の一実施形態の引違い窓１が示されている。本実施形態の引違い窓１は、図１に示すように、各枠が断熱形材で構成された断熱窓枠２と、各框がアルミ材と木材との複合材で構成されたアルミ木複合障子３とを組み合わせて引違い窓１が構成されている。
断熱窓枠２内に配置されるアルミ木複合障子３は、室外側に配置される外障子３Ａと、室内側に配置される内障子３Ｂとを備えている。
【０００９】
断熱窓枠２は、上枠１１、下枠１２と左右両端の縦枠１３とを四角枠状に接合して形成されている。
上枠１１、下枠１２および左右両端の縦枠１３は、それぞれ非鉄金属であるアルミ製の室外部材１１Ａ，１２Ａ，１３Ａおよび室内部材１１Ｂ，１２Ｂ，１３Ｂと、これらの各部材をそれぞれ連結するウレタン樹脂等で形成されて金属材である各室内外部材に比べて熱伝導率が低い断熱部材１１Ｃ，１２Ｃ，１３Ｃとで構成されたものである。なお、各断熱部材１１Ｃ〜１３Ｃとしては、図示のウレタン樹脂を注入するタイプに限らず、合成樹脂製の帯板状の断熱部材を各室内外部材間にそれぞれ１枚以上配置し、かしめて連結して構成したものを用いてもよい。
これらの上枠１１、下枠１２、縦枠１３には、各枠１１，１２，１３が取り付けられるまぐさ７、窓台８、柱９の室外面に当接する取付片１１１，１２１，１３１が形成されている。そして、これらの取付片１１１，１２１，１３１を釘やネジによってまぐさ７、窓台８、柱９に取り付けることで、断熱窓枠２は建物躯体側に取り付けられている。
また、上枠１１、下枠１２、縦枠１３と建物外壁１００との間には、適宜、バックアップ材２６および充填材２７が充填されてシールされている。
【００１０】
上枠１１の下面には、外レール１６が垂設され、この外レール１６の室内側つまり窓枠２の開口内周面には、熱伝導率が金属材に比べて低い、つまり断熱性を有する樹脂等で形成された断熱性カバー１１２が取り付けられ、上枠１１の室内側露出面部を被覆している。なお、本発明において露出面部とは、窓枠２の開口内周面においてアルミ木複合障子３を閉めた際に室内側に露出する部分（見えがかり部）を意味する。
また、上枠１１には、内レール１７用の部材が配置されている。この内レール１７は、断熱性カバー１１２を介して室内部材１１Ｂにねじ込まれたネジ等で上枠１１に取り付けられている。これにより、内レール１７部分は室内側に露出するが、断熱性カバー１１２が介在されており、かつ室内部材１１Ｂにネジ止めされていることで上枠１１の室外部材１１Ａからの熱伝導が抑えられている。
さらに、上枠１１の室内部材１１Ｂには、木製の額縁抑え材１１３がネジで固定されている。この額縁抑え材１１３と室内部材１１Ｂとで、木製の窓額縁１１５の室外側突部が挟持されている。なお、上枠１１は、内レール１７、断熱性カバー１１２、室内部材１１Ｂを介してまぐさ７にねじ込まれたネジによっても躯体に取り付けられている。
【００１１】
一方、下枠１２の前記室外部材１２Ａおよび室内部材１２Ｂの上面には、それぞれ外、内の各下レール１８，１９が立設されている。下レール１９の室外側、断熱部材１２Ｃの上面には、断熱性カバー１２２が配置されている。断熱性カバー１２２は、前記内レール１９の室外側に配置されて内レール１９にネジ等で取り付けられている。この断熱性カバー１２２は、下枠１２の全長に渡って設けられているのではなく、アルミ木複合障子３の外障子３Ａを閉めた際に外障子３Ａが配置される部分、つまり下枠１２の全長の約半分の部分に配置されている。
そして断熱性カバー１２２には気密材が室外側に向けて取り付けられ、外障子３Ａを閉めた際に外障子３Ａの室内面に圧接してシールするように構成されている。
また、室内部材１２Ｂには、下枠１２の内レール１９の室内面および室内部材１２Ｂの上面を被覆する断熱性カバー１２３が取り付けられている。この断熱性カバー１２３は、木製の窓額縁１２５上まで延長された室内部材１２Ｂの上面全体、つまり下枠１２における室内露出面を被覆している。
【００１２】
外障子３Ａの戸先側の竪框（戸先框）３５が当接されるガイド片を有する縦枠１３の内周面には、前記竪框３５の室内面に当接するシール材が取り付けられた断熱性カバー１３２が取り付けられている。また、断熱性カバー１３２の室内側には、木製の額縁抑え材１３３が室内部材１３Ｂにネジ等で固定されている。この断熱性カバー１３２および額縁抑え材１３３で縦枠１３における室内露出面が被覆されている。
一方、内障子３Ｂの戸先側の竪框（戸先框）３６が当接されるガイド片を有する縦枠１３の内周面には、内障子３Ｂの室内側に位置する木製の額縁抑え材１３４が室内部材１３Ｂにネジ等で固定されている。
そして、各額縁抑え材１３３，１３４と室内部材１３Ｂとで、木製の窓額縁１３５の室外側突部が挟持されている。
【００１３】
断熱窓枠２内に配置されて外レール１６，１８でガイドされる外障子３Ａは、上框３１と、下框３３と、竪框３５と、外召合せ框（竪框）３７とを四角枠状に組んで構成されている。また、内レール１７，１９でガイドされる内障子３Ｂは、上框３２と、下框３４と、竪框３６と、内召合せ框（竪框）３８とを四角枠状に組んで構成されている。そして、各框３１〜３８の内周面には、複層ガラス３９がガスケット４０を介して嵌合されている。
【００１４】
上框３１，３２は、室外部材３１Ａ，３２Ａと、室内部材３１Ｂ，３２Ｂとを接合して構成されている。
室外部材３１Ａ，３２Ａは、アルミ押出形材で構成され、複層ガラス３９の室外面をガスケット４０を介して保持可能に構成され、上レール１６，１７や、各レール１６，１７を挟み込む摺動片が嵌入される凹溝部３１２を備えている。
室内部材３１Ｂ，３２Ｂは、天然木等の木製であり、複層ガラス３９の室内面をガスケット４０を介して保持可能に構成されており、室内部材３１Ｂ，３２Ｂの室外面には、アタッチメント４００がネジや接着剤等（本実施形態ではネジ）によって固定されている。アタッチメント４００は、ポリプロピレンまたはポリエチレン等のオレフィン系樹脂やポリ塩化ビニル樹脂等の合成樹脂製であり、室内部材３１Ｂ，３２Ｂの長手方向に比べて長さ寸法が小さい、つまり短尺のピース材である。
このような上框３１，３２は、室外部材３１Ａ，３２Ａの端面から室内部材３１Ｂ，３２Ｂをスライド移動させ、室外部材３１Ａ，３２Ａの室内側に上下に間隔をあけて設けられた係合片に対し、室内部材３１Ｂ，３２Ｂの上端溝とアタッチメント４００とを係合させることで組み立てられる。つまり、室内部材３１Ｂ，３２Ｂは、アタッチメント４００および上端溝が室外部材３１Ａ，３２Ａに係合されることで、見込み方向に移動不能に取り付けられる。
【００１５】
下框３３，３４は、各上框３１，３２と同様に、室外部材３３Ａ，３３Ａと、室内部材３３Ｂ，３３Ｂとを接合して構成されている。
室外部材３３Ａ，３４Ａは、室外部材３１Ａ，３２Ａと同様に、アルミ押出形材で構成され、やはり複層ガラス３９の室外面をガスケット４０を介して保持可能に構成されている。
室内部材３３Ｂ，３４Ｂは、室内部材３１Ｂ，３２Ｂと同様に、木製の部材で、かつ複層ガラス３９の室内面をガスケット４０を介して保持可能に構成されている。さらに、室内部材３３Ｂの下端は、下方に延長され、室内部材３３Ｂの下側に配置されて室外部材３３Ａに係合されるポリ塩化ビニル樹脂等の合成樹脂製の室内部材３３Ｃの上端室内面を被覆している。室内部材３３Ｂ，３４Ｂの室外面には、ピース状のアタッチメント４００がネジ等で固定されている。アタッチメント４００は、室内部材３１Ｂ，３２Ｂに取り付けられたものと同一であるため、説明を省略する。
この下框３３，３４においても、各上框３１，３２と同様に、室外部材３３Ａ，３４Ａの上下の係合片にアタッチメント４００と上端溝とを係合した状態で、各下框３３，３４の端面（長手方向の端部）から室内部材３３Ｂ，３４Ｂをスライド移動させることで組み立てられる。
なお、下框３３には、室内部材３３Ｃも同様に端面からスライド移動により取り付けられる。また、本実施形態では、下框３４においても、室内部材３４Ｂの下側に、ポリ塩化ビニル樹脂等の合成樹脂製のカバー材３４Ｃが室内部材３４Ｂの端面からスライド挿入により取り付けられている。
さらに、各下框３３，３４には、前記各レール１８，１９上を転動する戸車が回転自在に支持されている。
【００１６】
図２において、竪框３５，３６，３８は、各上框３１，３２と同様に、室外部材３５Ａ，３６Ａ，３８Ａと、室内部材３５Ｂ，３６Ｂ，３８Ｂとを接合して構成されている。
室外部材３５Ａ，３６Ａ，３８Ａは、アルミ押出形材で構成され、複層ガラス３９の室外面をガスケット４０を介して保持可能に構成されている。
室内部材３５Ｂ，３６Ｂ，３８Ｂは、木製部材からなり、前記各室内部材３１Ｂ〜３４Ｂと同様に、複層ガラス３９の室内面をガスケット４０を介して保持可能に構成されている。ここで、室内部材３５Ｂ，３６Ｂは、各上框３１，３３の室内部材３１Ｂ，３６Ｂと同一形状、サイズであり、部品の共通化が図れている。室内部材３８Ｂは、断面形状略Ｌ字形状とされて室外部材３８Ａの室内露出面を被覆している。
各室内部材３５Ｂ，３６Ｂ，３８Ｂの一側端面には、室外部材３５Ａ，３６Ａ，３８Ａの係合片が係合される断面直角三角形状の側端溝が形成されている。
【００１７】
室内部材３５Ｂ，３６Ｂ，３８Ｂの室外面には、ピース状（各室内部材３５Ｂ，３６Ｂ，３８Ｂの長手方向長さに比べて短尺）で、断面Ｌ字状のアタッチメント（連結ブラケット）４１０の一方の面がネジ等で固定されている。アタッチメント４１０の他方の面は、室外部材３５Ａ，３６Ａ，３８Ａにネジ等によって固定されている。
竪框３５，３６，３８を組み立てるには、室内部材３５Ｂ，３６Ｂ，３８Ｂに予めアタッチメント４１０を取り付けておき、室内部材３５Ｂ，３６Ｂは見付け方向（ガラス溝側）から室外部材３５Ａ，３６Ａに近付け、室内部材３８Ｂは見込み方向（室外側）から室外部材３８Ａに近付け、側端溝を係合片に係合させるとともに、アタッチメント４１０を室外部材３５Ａ，３６Ａ，３８Ａにネジ止めすればよい。この際、ネジを締め付けるに従って、係止片が側端溝の傾斜面に当接して案内されるので、室内部材３５Ｂ，３６Ｂ，３８Ｂと室外部材３５Ａ，３６Ａ，３８Ａとは互いに引き寄せられて、係止片が側端溝の垂直面に当接する位置に納まる。
【００１８】
なお、各室内部材３１Ｂ〜３６Ｂ，３８Ｂに取り付けるアタッチメント４００、４１０の数や取付間隔は、各室内部材３１Ｂ〜３６Ｂ，３８Ｂの長手方向の寸法などに応じて設定される。通常は、各室内部材３１Ｂ〜３６Ｂ，３８Ｂの長手方向両端近傍の２カ所に設けられが、各室内部材３１Ｂ〜３６Ｂ，３８Ｂの長さが比較的大きい場合には、さらに中央部分の１カ所にも追加して設けられる。
【００１９】
外召合せ框（竪框）３７は、図２に示すように、外障子３Ａ、内障子３Ｂを閉めた際に室内側に露出しないため、アルミ形材のみで構成されている。従って、外召合せ框３７の室内側面は、外部に露出した面と熱伝達上断熱されておらず、室内側面の一部には室内側の暖かな空気に触れて結露が生じる場合がある。この際の結露水は、室内側面が室内側に露出しないことで室内側から視認されることはないが、下方に伝い落ちて下框３３を構成する木製の室内部材３３Ｂを濡らし、この室内部材３３Ｂの老朽化を促進させるおそれがある。そこで、本実施形態では、以下に説明する構成を採用している。
【００２０】
図３は、外障子３Ａの下框３３と外召合せ框３７との接合部分を示す斜視図、図４は、その接合部分を示す分解斜視図、図５は、接合部分を拡大して示す横断面図である。
下框３３を構成する木製の室内部材３３Ｂの端部には、室内側に露出する本体部３３１よりも若干薄肉で、かつ外召合せ框３７の下端側に呑み込まれる挿入部３３２が設けられている。本体部３３１および収容部３３２の上端面は連続しており、図１に示すように、室内側に向かって若干下り傾斜している。下框３３と外召合せ框３７とを接合した状態では、挿入部３３２の一部が外召合せ框３７の切欠部３７１の外側（露出する側）に位置しており、挿入部３３２の全てが呑み込まれるわけではない（図５）。このような挿入部３３２には、本体部３３１側に片寄せて合成樹脂製（例えば、室内部材３３Ｃと同じポリ塩化ビニル樹脂等）の受部材５０が配置されている。
【００２１】
受部材５０は、収容部３３２の上端面に載置される上面部５１と、室内側面のに沿った立面部５２とで、全体略Ｌ字形状に形成されており、室内部材３３の一部分ではあるが、下框３３と外召合せ框３７との接合部分を上端側から下端側にかけて略全域にわたって連続して覆っている。また、受部材５０は室内部材３３Ｂの挿入部３３２と同様に、一部が外召合せ框３７の切欠部３７１の外に位置して室内側に露出し、他の部分が外召合せ框３７内に収容されている。
上面部５１は、収容部３３２（本体部３３１）の上端面に沿って室内側に下り傾斜しているとともに、切欠部３７１の上縁に当接している。立面部５２は、その厚みを考慮しても、本体部３３１の室内側面より一段室外側にずれた位置で収容部３３２の室内側面を覆っており、切欠部３７１の鉛直縁から召合せ框３７の内面にかけて桁方向に当接している。このように、受部材５０は、下框３３の室内部材３３Ｂと外召合せ框３７の切欠部３７１との間で挟持されている。
受部材５０のうちの室内側に露出した部分には、室外部材３３Ａに近接した辺縁から室内部材３３Ｂの本体部３３１に近接した辺縁にわたって堤部５３が連続して設けられている。この堤部５３は、図３，５に示すように、上面部５１に設けられた部分では、本体部３３１の上端面よりも上方に突出し、立面部５２に設けられた部分では、本体部３３１の室内側面と面一になっている。
【００２２】
このような受部材５０では、上面部５１の室内側に露出した部分により、外召合せ框３７の表面（露出面）を伝って落ちる結露水を受け、結露水が室内部材３３Ｂに触れるのを防止する。また、単に結露水の接触を防止するだけでなく、上面部５１に連続して設けられた立面部５２により、上面部５１上で受けた結露水が立面部５２を伝って下框３３の下方に排水させる。また、この際には、上面部５１で受けた結露水がその下り傾斜によって立面部５２側にスムーズに流れ、上面部５１で滞留する心配がない。
さらに、上面部５１および立面部５２の露出部分が堤部５３と外召合せ框３７とで囲まれていることにより、その露出部分が断面凹状の排水溝としても機能し、結露水を下方に確実に排水可能である。すなわち、この堤部５３により、上面部５１および立面部５２で受けた結露水の流れ方向が規定され、結露水が堤部５３を越えて室内部材３３Ｂの露出面を濡らす方向に流れたり、室外部材３３Ａとの境界側に流れるのを防ぎ、上面部５１および立面部５２を伝って下方に確実に排水されるようになっている。
そして、受部材５０は、外障子３Ａの組立時において、下框３３と外召合せ框３７とを接合する際に、室内部材３３の挿入部３３２および外召合せ框３７の切欠部３７１間で挟持され、従来とは異なって後付けされることはない。
【００２３】
このような本実施形態によれば、以下のような効果がある。
(１) 外障子３Ａの下框３３と外召合せ框３７との接合部分には、受部材５０が設けられているので、外召合せ框３７の表面を伝い落ちる結露水を受部材５０の上面部５１で受けることができ、結露水が木製の室内部材３３Ｂに接触するのを確実に防止できる。従って、室内部材３３Ｂは結露水で濡れる心配がないから、腐食し難くでき、室内部材３３Ｂの老朽化を抑制して耐久性を向上させることができる。
【００２４】
(２) 受部材５０は、下框３３を構成する室内部材３３Ｂの挿入部３３２と外召合せ框３７の切欠部３７１との接合部分に挟持されるが、下框３３の端部を外召合せ框３７内に呑み込ませて接合される本願実施形態では、そのような切欠部３７１は元々必要であり、この切欠部３７１を利用して受部材５０を挟持させ、取り付けることができる。従って、従来のような掛止溝を別途設ける必要がなく、外召合せ框３７の加工を容易にできる。
【００２５】
(３) また、受部材５０が挿入部３３２と切欠部３７１と間で挟持されることにより、受部材５０と外召合せ框３７との間には何ら隙間が生じないため、従来のようなシールを行う必要性がなく、障子の組立作業を迅速に行える。
さらには、下框３３と外召合せ框３７との接合時に受部材５０を同時に取り付けることができるため、その接合作業の後に受部材５０を後付けするといった煩わしさを解消でき、この点でも組立作業を効率よくできる。
【００２６】
(４) 受部材５０は、室内部材３３の一部を上端側から下端側にかけて略全域にわたって連続して覆っているため、受部材５０で受けられた結露水が室内部材３３Ｂに一切触れることなく、結露水を受部材５０の上面部５１から立面部５２を伝って下框３３の下方に確実に排水できる。
【００２７】
(５) そして、上面部５１が室内側に下り傾斜しているので、上面部５１で受けた結露水を上面部５１で滞留させずに、立面部５２側にスムーズに流して排水でき、排水性を向上させることができる。
【００２８】
(６) 上面部５１および立面部５２の露出した部分は、その周囲が堤部５３および外召合せ框３７の側面等で囲まれているので、この露出部分を断面凹状の排水溝として機能させることができ、結露水が受部材５０を伝い落ちる最中に、結露水の流れ方向が規定されてずれるといった心配がなく、結露水をより適切に排水できる。
【００２９】
なお、本発明は、前記実施形態に限定されるものではない。
例えば、前記実施形態の受部材５０では、堤部５３のうち、立面部５２に設けられている部分が室内部材３３Ｂの室内側面と面一になっていたが、この室内側面よりも室内側に突出していてもよい。これにより、堤部５３の全体が室内部材よりも突出していることになり、結露水をより漏れ難くくできる。
【００３０】
前記実施形態の受部材５０では、上面部５１および立面部５２が室内部材３３Ｂの挿入部３３２の一部（基端側）を覆っていたが、全体を覆うように形成されていてもよい。このような受部材５０によれば、外召合せ框３７の内面側（複層ガラス３９を保持している部分の内面側）に結露が生じた場合など、結露水がその内面を伝い落ちても、収容部３３２を全く濡らすおそれがなく、室内部材３３Ｂの見えない部分での老朽化をも確実に防止できる。
【００３１】
図６には、受部材５０の他の変形例が示されている。
この受部材５０では、上面部５１および立面部５２の外召合せ框３７の内部に収容された部分にも、露出した部分と略対称的に堤部５３が設けられている。また、内部に収容された部分では、立面部５２に段差部５４が設けられ、外召合せ框３７の内面との間に隙間が形成されている。従って、外召合せ框３７内では、受部材５０で受けられた結露水が、周囲に漏れる心配がないうえ、当該隙間を伝って下框３３の下方に確実に排水される。
【００３２】
さらに、本発明に係る受部材の具体的な形状は、前記実施形態および変形例に示されたものに限定されず、それらの特徴的な形状を任意に組み合わせた形状であってよく、その実施にあたって適宜に決められてよい。
【００３３】
また、各窓枠や障子の断熱部材（木材や合成樹脂材）以外の部分はアルミやステンレス等の各種金属で形成されていればよく、具体的な材質は設置する建物周りの環境等に応じて適宜選択すればよい。
そして、前記各障子には、複層ガラスを配置していたが、単板ガラスを配置してもよく、これらも断熱性能などを考慮して設定すればよい。
【００３４】
また、木製の室内部材３１Ｂ〜３６Ｂ，３８Ｂを室外部材３１Ａ〜３６Ａ，３８Ａに取り付けるためのアタッチメントの具体的形状、材質、構造等や、このアタッチメントや係合溝が係合される室外部材３１Ａ〜３６Ａ，３８Ａの係合片３１３〜３１５の具体的な形状などは、実施にあたって適宜設定すればよい。
【００３５】
前記実施形態では、引違い窓１が外障子３Ａおよび内障子３Ｂを備えた構成であったが、障子の数としてはこれに限定されるものではなく、例えば、３列のガイドレールを備えた引違い窓のように、外障子と内障子との間にもう一枚障子を備えた構成であってもよく、このような構成では、外障子（最も室外側）と中間の障子とにおいて、本発明を適用できる。
【００３６】
【発明の効果】
以上に述べたように、本発明の引違い窓によれば、結露水の木製部分への接触を防いで耐久性を向上させることができ、かつ繁雑な作業を不要にできるという効果がある。
【図面の簡単な説明】
【図１】本発明の一実施形態に係る引違い窓を示す縦断面図である。
【図２】前記引違い窓を示す横断面図である。
【図３】前記引違い窓を構成する外障子の下框と竪框との接合部分を示す斜視図である。
【図４】前記接合部分を示す分解斜視図である。
【図５】前記接合部分を拡大して示す横断面図である。
【図６】本発明の変形例を示す横断面図である。
【符号の説明】
１…引違い窓、３（３Ａ，３Ｂ）…障子（内障子、外障子）、３３…下框、３１Ａ，３２Ａ，３３Ａ，３４Ａ，３５Ａ，３６Ａ，３８Ａ…室外部材、３１Ｂ，３２Ｂ，３３Ｂ，３４Ｂ，３５Ｂ，３６Ｂ，３８Ｂ…室内部材、３７…竪框である外召合せ框、５０…受部材、５１…上面部、５２…立面部、５３…堤部。
【図１】
0003715931.tif 000002
【図２】
0003715931.tif 000003
【図３】
0003715931.tif 000004
【図４】
0003715931.tif 000005
【図５】
0003715931.tif 000006
【図６】
0003715931.tif 000007